(57)【要約】【課題】ユーザの利便性を損なうことなく、第三者への機密情報の漏洩を適切に防止可能な表示装置および情報保護プログラムを提供する。【解決手段】表示端末では、表示パネルに表示される画面の切り替え指示がある場合（Ｓ３）、その画面が切り換えられてからの経過時間が計測される（Ｓ５）。そして、バッテリの電池残量が電圧閾値よりも小さいと判断され（Ｓ７：ＹＥＳ）、画面が切り換えられてから所定時間以上を経過したと判断された場合に（Ｓ９：ＹＥＳ）、メモリカードに記憶されている画像データのうち、少なくとも第三者による閲覧が防止されるべき機密データが削除される（Ｓ１１）。【選択図】図６
2010182055.tif 000002
【特許請求の範囲】
【請求項１】
画像が表示される表示手段と、
少なくとも画像データを記憶するデータ記憶手段と、
前記データ記憶手段に記憶されている画像データに基づいて、前記表示手段に画像を表示させる表示制御手段と、
内部電池の電池残量を検出する電池残量検出手段と、
前記電池残量検出手段によって検出された電池残量が閾値よりも小さいか否かを判断する電池残量判断手段と、
前記表示制御手段によって前記表示手段に一の画像が表示された時点から、前記一の画像が継続して表示される経過時間を計測する時間計測手段と、
前記時間計測手段によって計測された経過時間が所定時間以上であるか否かを判断する経過時間判断手段と、
前記電池残量判断手段によって電池残量が前記閾値よりも小さいと判断され、且つ、前記経過時間判断手段によって経過時間が前記所定時間以上であると判断された場合に、前記データ記憶手段に記憶されている画像データの表示制限を行うデータ制限手段と
を備えたことを特徴とする表示装置。
【請求項２】
所定の条件に応じて前記閾値を変更する閾値変更手段を備えたことを特徴とする請求項１に記載の表示装置。
【請求項３】
前記データ記憶手段の記憶容量を特定する第１記憶容量特定手段を備え、
前記閾値変更手段は、前記第１記憶容量特定手段によって特定された前記データ記憶手段の記憶容量に応じて前記閾値を変更することを特徴とする請求項２に記載の表示装置。
【請求項４】
前記データ記憶手段は、前記画像データのうちで機密情報として設定された画像データを記憶する機密情報記憶手段を含み、
前記機密情報記憶手段の記憶容量を特定する第２記憶容量特定手段を備え、
前記データ制限手段は、前記データ記憶手段に記憶されている画像データのうちで、前記機密情報記憶手段に記憶されている画像データの表示制限を行い、
前記閾値変更手段は、前記第２記憶容量特定手段によって特定された前記機密情報記憶手段の記憶容量に応じて前記閾値を変更することを特徴とする請求項３に記載の表示装置。
【請求項５】
前記表示装置における温度を検出する温度検出手段を備え、
前記閾値変更手段は、前記温度検出手段によって検出された温度に応じて前記閾値を変更することを特徴とする請求項２〜４のいずれかに記載の表示装置。
【請求項６】
前記内部電源の充電回数を検出する充電回数検出手段を備え、
前記閾値変更手段は、前記充電回数検出手段によって検出された充電回数に応じて前記閾値を変更することを特徴とする請求項２〜５のいずれかに記載の表示装置。
【請求項７】
前記データ制限手段は、前記画像データの表示制限として、前記データ記憶手段に記憶されている画像データを削除または暗号化し、
前記閾値変更手段は、前記データ制限手段によって画像データの削除または暗号化のいずれが実行されるかに応じて前記閾値を変更することを特徴とする請求項２〜６のいずれかに記載の表示装置。
【請求項８】
前記データ記憶手段は、前記画像データのうちで機密情報として設定された画像データを記憶する機密情報記憶手段を含み、
前記データ制限手段は、前記データ記憶手段に記憶されている画像データのうちで、前記機密情報記憶手段に記憶されている画像データを削除または暗号化することを特徴とする請求項１に記載の表示装置。
【請求項９】
画像が表示される表示手段と、
少なくとも画像データを記憶するデータ記憶手段と、
前記データ記憶手段に記憶されている画像データに基づいて、前記表示手段に画像を表示させる表示制御手段と、
内部電池の電池残量を検出する電池残量検出手段とを備えた表示装置において、
コンピュータを、
前記電池残量検出手段によって検出された電池残量が閾値よりも小さいか否かを判断する電池残量判断手段、
前記表示制御手段によって前記表示手段に一の画像が表示された時点から、前記一の画像が継続して表示される経過時間を計測する時間計測手段、
前記時間計測手段によって計測された経過時間が所定時間以上であるか否かを判断する経過時間判断手段、
前記電池残量判断手段によって電池残量が前記閾値よりも小さいと判断され、且つ、前記経過時間判断手段によって経過時間が前記所定時間以上であると判断された場合に、前記データ記憶手段に記憶されている画像データの表示制限を行うデータ制限手段
として機能させることを特徴とする情報保護プログラム。
【発明の詳細な説明】
【技術分野】
【０００１】
本発明は、画像データに基づいて画像表示を行う表示装置、および、その画像データが漏洩しないように保護する情報保護プログラムに関する。
【背景技術】
【０００２】
従来、ユーザが携行可能な小型・軽量の表示装置（例えば、電子ペーパー）が提供されている。このような表示装置では、ユーザの機密情報を記憶した状態で紛失すると、その機密情報が第三者に閲覧されるおそれがある。
【０００３】
そこで、バッテリの残量が所定以下である場合には、メモリ内のデータを削除するようにした携帯型記憶媒体の管理システムが知られている（例えば、特許文献１参照）。この管理システムでは、バッテリの残量に応じてデータ削除を行うことによって、携帯型記憶媒体に盗難や紛失等の問題が発生した場合における重要情報の漏洩防止を図っている。
【先行技術文献】
【特許文献】
【０００４】
【特許文献１】特開２００８−２６９２８５号公報
【発明の概要】
【発明が解決しようとする課題】
【０００５】
しかしながら、特許文献１に記載の発明では、単なるバッテリの電圧低下が生じるだけでデータ消去が行われる。そのため、ユーザによって利用されているにも関わらず、バッテリの電圧低下によってデータ削除が行われてしまうと、ユーザの利便性を損なうおそれがあった。
【０００６】
本発明は、上記問題点を解決するためになされたものであり、ユーザの利便性を損なうことなく、第三者への機密情報の漏洩を適切に防止可能な表示装置および情報保護プログラムを提供することを目的とする。
【課題を解決するための手段】
【０００７】
上記課題を解決するために、請求項１に係る発明の表示装置は、画像が表示される表示手段と、少なくとも画像データを記憶するデータ記憶手段と、前記データ記憶手段に記憶されている画像データに基づいて、前記表示手段に画像を表示させる表示制御手段と、内部電池の電池残量を検出する電池残量検出手段と、前記電池残量検出手段によって検出された電池残量が閾値よりも小さいか否かを判断する電池残量判断手段と、前記表示制御手段によって前記表示手段に一の画像が表示された時点から、前記一の画像が継続して表示される経過時間を計測する時間計測手段と、前記時間計測手段によって計測された経過時間が所定時間以上であるか否かを判断する経過時間判断手段と、前記電池残量判断手段によって電池残量が前記閾値よりも小さいと判断され、且つ、前記経過時間判断手段によって経過時間が前記所定時間以上であると判断された場合に、前記データ記憶手段に記憶されている画像データの表示制限を行うデータ制限手段とを備えている。
【０００８】
請求項２に係る発明の表示装置は、請求項１に記載の発明の構成に加えて、所定の条件に応じて前記閾値を変更する閾値変更手段を備えている。
【０００９】
請求項３に係る発明の表示装置は、請求項２に記載の発明の構成に加えて、前記データ記憶手段の記憶容量を特定する第１記憶容量特定手段を備え、前記閾値変更手段は、前記第１記憶容量特定手段によって特定された前記データ記憶手段の記憶容量に応じて前記閾値を変更することを特徴とする。
【００１０】
請求項４に係る発明の表示装置は、請求項３に記載の発明の構成に加えて、前記データ記憶手段は、前記画像データのうちで機密情報として設定された画像データを記憶する機密情報記憶手段を含み、前記機密情報記憶手段の記憶容量を特定する第２記憶容量特定手段を備え、前記データ制限手段は、前記データ記憶手段に記憶されている画像データのうちで、前記機密情報記憶手段に記憶されている画像データの表示制限を行い、前記閾値変更手段は、前記第２記憶容量特定手段によって特定された前記機密情報記憶手段の記憶容量に応じて前記閾値を変更することを特徴とする。
【００１１】
請求項５に係る発明の表示装置は、請求項２〜４のいずれかに記載の発明の構成に加えて、前記表示装置における温度を検出する温度検出手段を備え、前記閾値変更手段は、前記温度検出手段によって検出された温度に応じて前記閾値を変更することを特徴とする。
【００１２】
請求項６に係る発明の表示装置は、請求項２〜５のいずれかに記載の発明の構成に加えて、前記内部電源の充電回数を検出する充電回数検出手段を備え、前記閾値変更手段は、前記充電回数検出手段によって検出された充電回数に応じて前記閾値を変更することを特徴とする。
【００１３】
請求項７に係る発明の表示装置は、請求項２〜６のいずれかに記載の発明の構成に加えて、前記データ制限手段は、前記画像データの表示制限として、前記データ記憶手段に記憶されている画像データを削除または暗号化し、前記閾値変更手段は、前記データ制限手段によって画像データの削除または暗号化のいずれが実行されるかに応じて前記閾値を変更することを特徴とする。
【００１４】
請求項８に係る発明の表示装置は、請求項１に記載の発明の構成に加えて、前記データ記憶手段は、前記画像データのうちで機密情報として設定された画像データを記憶する機密情報記憶手段を含み、前記データ制限手段は、前記データ記憶手段に記憶されている画像データのうちで、前記機密情報記憶手段に記憶されている画像データを削除または暗号化することを特徴とする。
【００１５】
請求項９に係る発明の情報保護プログラムは、画像が表示される表示手段と、少なくとも画像データを記憶するデータ記憶手段と、前記データ記憶手段に記憶されている画像データに基づいて、前記表示手段に画像を表示させる表示制御手段とを備えた表示装置において、コンピュータを、内部電池の電池残量を検出する電池残量検出手段、前記電池残量検出手段によって検出された電池残量が閾値よりも小さいか否かを判断する電池残量判断手段、前記表示制御手段によって前記表示手段に一の画像が表示された時点から、前記一の画像が継続して表示される経過時間を計測する時間計測手段、前記時間計測手段によって計測された経過時間が所定時間以上であるか否かを判断する経過時間判断手段、前記電池残量判断手段によって電池残量が前記閾値よりも小さいと判断され、且つ、前記経過時間判断手段によって経過時間が前記所定時間以上であると判断された場合に、前記データ記憶手段に記憶されている画像データの表示制限を行うデータ制限手段として機能させることを特徴とする。
【発明の効果】
【００１６】
請求項１に係る発明の表示装置によれば、内部電池の電池残量が閾値よりも小さいと判断され、且つ、画面が切り換えられた時点から所定時間以上を経過したと判断された場合に、データ記憶手段に記憶されている画像データの表示制限が行われる。したがって、ユーザによって利用されているにも関わらず画像データの表示制限が行われる不具合の発生を抑制しつつ、第三者への機密情報の漏洩を適切に防止することができる。
【００１７】
請求項２に係る発明の表示装置によれば、所定の条件に応じて閾値が変更される。したがって、請求項１に記載の発明の効果に加え、各種条件に応じて最適な閾値が設定されるため、第三者への機密情報の漏洩をより適切に防止することができる。
【００１８】
請求項３に係る発明の表示装置によれば、データ記憶手段の記憶容量に応じて閾値が変更される。したがって、請求項２に記載の発明の効果に加え、データ記憶手段の記憶容量に応じて、画像データの表示制限に最低限必要な電池残量を確保することができる。
【００１９】
請求項４に係る発明の表示装置によれば、機密情報記憶手段に記憶されている画像データの表示制限が行われ、機密情報記憶手段の記憶容量に応じて閾値が変更される。したがって、請求項３に記載の発明の効果に加え、画像データのうちで機密情報のみを表示制限することで迅速化を図るとともに、その表示制限に最低限必要な電池残量を低減することができる。さらに、保護対象となる画像データを、ユーザの任意で全データまたは機密情報に可変とすることができる。
【００２０】
請求項５に係る発明の表示装置によれば、表示装置における温度に応じて閾値が変更される。したがって、請求項２〜４のいずれかに記載の発明の効果に加え、表示装置における温度に応じて、画像データの表示制限に最低限必要な電池残量を確保することができる。
【００２１】
請求項６に係る発明の表示装置によれば、内部電源の充電回数に応じて閾値が変更される。したがって、請求項２〜５のいずれかに記載の発明の効果に加え、内部電源の充電回数に応じて、画像データの表示制限に最低限必要な電池残量を確保することができる。
【００２２】
請求項７に係る発明の表示装置によれば、画像データの表示制限としてデータ削除またはデータ暗号化が行われ、画像データの削除または暗号化のいずれが実行されるかに応じて閾値が変更される。したがって、請求項２〜６のいずれかに記載の発明の効果に加え、画像データの表示制限として行われる各種処理に最低限必要な電池残量を確保することができる。
【００２３】
請求項８に係る発明の表示装置によれば、機密情報記憶手段に記憶されている画像データの表示制限として、データ削除またはデータ暗号化が行われる。したがって、請求項１に記載の発明の効果に加え、画像データのうちで機密情報のみを表示制限することで迅速化を図るとともに、その表示制限に最低限必要な電池残量閾値を低減することができる。さらに、機密データの表示制限として行われる処理を、ユーザの任意でデータ削除またはデータ暗号化に可変とすることができる。
【００２４】
請求項９に係る発明の情報保護プログラムによれば、内部電池の電池残量が閾値よりも小さいと判断され、且つ、画面が切り換えられた時点から所定時間以上を経過したと判断された場合に、データ記憶手段に記憶されている画像データの表示制限が行われる。したがって、ユーザによって利用されているにも関わらず画像データの表示制限が行われる不具合の発生を抑制しつつ、第三者への機密情報の漏洩を適切に防止することができる。
【図面の簡単な説明】
【００２５】
【図１】表示端末１の外観を示す正面図である。
【図２】表示パネル２の正面図である。
【図３】図２に示す表示パネル２のＡ−Ａ線における矢視方向断面図である。
【図４】図２に示す表示パネル２のＢ−Ｂ線における矢視方向断面図である。
【図５】表示端末１の電気的構成を示すブロック図である。
【図６】表示端末１のメイン処理を示すフローチャートである。
【図７】第１の実施形態における電圧閾値設定処理を示すフローチャートである。
【図８】データ容量取得処理を示すフローチャートである。
【図９】表示端末１に内蔵されるバッテリ８２の電圧低下特性を示すグラフである。
【図１０】閾値設定テーブル３０１のデータ構成を示す図である。
【図１１】時間計測処理を示すフローチャートである。
【図１２】表示パネル２に表示される警告画像４００を例示する図である。
【図１３】データ保護処理を示すフローチャートである。
【図１４】第２の実施形態における電圧閾値設定処理を示すフローチャートである。
【図１５】温度計測処理を示すフローチャートである。
【図１６】閾値設定テーブル３０２のデータ構成を示す図である。
【図１７】第３の実施形態における電圧閾値設定処理を示すフローチャートである。
【図１８】閾値設定テーブル３０３のデータ構成を示す図である。
【図１９】第４の実施形態における電圧閾値設定処理を示すフローチャートである。
【図２０】閾値設定テーブル３０４のデータ構成を示す図である。
【発明を実施するための形態】
【００２６】
以下、本発明を具体化した実施の形態について、図面を参照して説明する。なお、参照する図面は、本発明が採用しうる技術的特徴を説明するために用いられるものであり、記載されている装置の構成、各種処理のフローチャートなどは、特に特定的な記載がない限り、それのみに限定する趣旨ではなく、単なる説明例である。
【００２７】
＜第１の実施形態＞
図１〜図１２を参照して、本発明の第１の実施形態に係る表示端末１について説明する。
【００２８】
図１〜図４を参照して、表示端末１の物理的構成について説明する。図１に示すように、本実施形態に例示する表示端末１は、携帯用の電子機器に具備可能な小型の電気泳動表示部である表示パネル２と、表示パネル２での画像表示を制御する制御基板３とを、略直方体形状の筐体に備えている。また、図１には図示しないが、表示端末１の側面には、メモリカード８７（図５参照）を挿入するためのカードスロットが設けられている。
【００２９】
表示端末１の正面中央に配置された表示パネル２は、一例として正面視縦長の直方体形状をなす。図１に点線で示すように、表示端末１を正面視したときの表示パネル２の奥側には制御基板３が設けられており、表示パネル２と制御基板３とが電気的に接続されている。また、表示パネル２の表示面が配置される表示端末１の正面には、後述する操作キー９５、電源ボタン８５および温度センサ８１が配置されている。
【００３０】
表示パネル２の構造について説明する。図２〜図４に示すように、表示パネル２は、その下面部分に設けられる下部基板１０と、その上面部分に設けられる上部基板２０とが対向配置され、下部基板１０と上部基板２０との間に表示部３０を備える。なお、図２中のＡ−Ａ線は、表示端末１の横方向（左右方向）に平行な線を示し、図２中のＢ−Ｂ線は、表示端末１の縦方向（上下方向）に平行な線を示す。
【００３１】
下部基板１０は、表示部３０に電界を発生させる下部電極１２と、下部電極１２の上面側に絶縁材料を塗布等して形成した絶縁膜である下部電極保護膜１１と、下部電極１２の下面側に設けられて表示端末１を支持する筐体支持部１３とを備える。下部電極保護膜１１は、ポリエチレンテレフタレートやシリカ等の樹脂フィルムやガラスなどの無機材料等の高い絶縁性を発揮可能な材料により形成される。本実施形態では、下部電極保護膜１１および筐体支持部１３は、可撓性のあるポリエチレンテレフタレートにより構成されたプラスチック基板（樹脂フィルム）である。また、下部電極１２は、一定の電圧が印加されるように線状の電気導電体が横方向（Ａ−Ａ線方向）に平行に且つ所定間隔を空けて配設された、複数の電極を具備する基板である。
【００３２】
下部基板１０の上方向（図３，４の上方向）には、下部基板１０に対向して、かつ平行に所定間隔を空けて上部基板２０が設けられる。上部基板２０は、表示部３０に電界を発生させる上部電極２２と、上部電極２２の下面側に絶縁材料を塗布等して形成した絶縁膜である上部電極保護膜２１と、上部電極２２の上面側に設けられて透明な部材により構成されて表示画面として機能する表示層２３とを備える。上部電極保護膜２１は、ポリイミド，ポリエチレンテレフタレート，ガラスなどの高い透明性を発揮可能な材料により形成される。上部電極２２は、一定の電圧が印加されるように線状の電気導電体が縦方向（Ｂ−Ｂ線方向）に平行に且つ所定間隔を空けて配設された、複数の電極を具備する基板であり、かつ高い透明性を発揮可能な材料により構成される。本実施形態では、上部電極保護膜２１はポリエチレンテレフタレートにより構成されたプラスチック基板（樹脂フィルム）である。上部電極２２は、酸化インジウムすず（ＩＴＯ）により形成された透明電極である。表示層２３は、ガラス基板である。つまり、上部基板２０は透明体であるから、利用者が上部基板２０の上方向（図３，４の上方向）から表示部３０を視認可能な表示基板として機能する。
【００３３】
表示部３０の構造について説明する。図３および図４に示すように、対向して設けられる下部基板１０及び上部基板２０と、スペーサー３１とで形成される間隙が、表示部３０である。スペーサー３１は、下部基板１０及び上部基板２０との間隙に架設され、その間隙を格子状に均等に分割して複数の小区画セルを形成するとともに、下部基板１０及び上部基板２０を支持する。スペーサー３１は、格子状に複数の貫通孔が形成された板状部材として構成された可撓性部材であり、例えばポリイミドやポリエチレンテレフタレートなどの合成樹脂で構成されればよい。
【００３４】
表示部３０の内部には、帯電粒子３３ａ，３３ｂおよび分散媒３４が充填される。帯電粒子３３ａ，３３ｂは、分散媒３４中において帯電可能な材料が用いられ、有機化合物や無機化合物からなる顔料や染料、もしくは顔料や染料を合成樹脂で包んだものからなる。本実施形態では、帯電粒子３３ａは、スチレン樹脂と二酸化チタンの混合物で、平均粒子径が５μｍのもの（７ｗｔ％）であって、粒子中の二酸化チタンの量が４０ｗｔ％のものを使用する。帯電粒子３３ｂは、スチレン樹脂とカーボンブラックの混合物で、平均粒子径が５μｍのもの（１０ｗｔ％）であって、粒子中のカーボンブラックの量が３０ｗｔ％のものを使用する。そのため、帯電粒子３３ａは白色の色調であり、帯電粒子３３ｂは黒色の色調である。帯電粒子３３ａと帯電粒子３３ｂとは正あるいは負に相異なるように帯電しており、ここでは帯電粒子３３ａが負に、帯電粒子３３ｂが正に帯電しているものとする。
【００３５】
分散媒３４としては、高絶縁性を発揮可能で、かつ粘性の低い、アルコール類，炭化水素，シリコーンオイルなどを利用できる。本実施形態の分散媒３４は、パラフィン系溶剤であるエクソンモービル社製Ｉｓｏｐａｒ（７３ｗｔ％）を使用する。なお、分散媒３４には、添加剤としてエタノール（１０ｗｔ％）が加えられている。
【００３６】
上部基板２０の上面（下部基板１０と対向しない面）には、正面視、小区画セルが存在しない表示部３０の周縁部を、利用者が視認できないように隠蔽するためのマスク部４０が設けられる。マスク部４０は、上部基板２０の四辺に沿って一定幅で設けられ、表示部３０を利用者が視認できるように貫通孔が設けられた板状部材である。マスク部４０は、ポリエチレンテレフタレートなどの合成樹脂を着色したものを接着したり、表示層２３の表面に印刷したインク層で形成すればよい。かかる構成により、表示端末１（表示パネル２）をその上方からみると、マスク部４０に設けられた貫通孔から表示部３０を視認可能である。
【００３７】
図５を参照して、表示端末１の電気的構成について説明する。図５に示すように、表示端末１の制御基板３（図１参照）では、ＣＰＵ９０と、ＲＯＭ９１と、ＲＡＭ９２と、ＥＥＰＲＯＭ９３と、ＲＴＣ（Ｒｅａｌ  Ｔｉｍｅ  Ｃｌｏｃｋ）９４と、表示コントローラ５１と、キーコントローラ５２と、メモリカードインタフェース（Ｉ／Ｆ）５３と、電源コントローラ５４と、温度センサインタフェース（Ｉ／Ｆ）５５とが、バスを介して接続されている。ＣＰＵ９０は、表示端末１の制御を司る。ＲＯＭ９１は、表示端末１を動作させる制御プログラムや、表示端末１の動作に関わる設定情報を記憶する。ＲＡＭ９２は、各種データを一時的に記憶するメモリである。ＥＥＰＲＯＭ９３は、各種データを記憶する不揮発性メモリである。本実施形態では、後述する閾値設定テーブルが記憶される領域である閾値設定テーブル記憶エリア９８が、ＲＯＭ９１に設けられる。また、後述する電圧閾値が記憶される領域である電圧閾値記憶エリア９９が、ＥＥＰＲＯＭ９３に設けられる。なお、ＲＴＣ９４は、制御基板３に実装された計時専用のチップであり、表示端末１の電源が切られているときも後述するバッテリ８２からの電源供給を受けて時間を計測可能である。
【００３８】
表示コントローラ５１は、表示パネル２での画像表示を制御する。より詳細には、表示コントローラ５１は、下部電極１２に接続されたチャンネルＣＨ１および上部電極２２に接続されたチャンネルＣＨ２に対する電気信号（波形）の印加によって、表示部３０での電界発生を制御する。これにより、表示部３０内で帯電粒子３３ａ，３３ｂを移動させて、表示パネル２に画像が形成される。キーコントローラ５２は、操作キー９５および電源ボタン８５における入力操作を受け付ける。操作キー９５は、ユーザがメニュー画面においてコンテンツを選択したり、画像データをページめくりで切り替えたりするためのキーである。電源ボタン８５は、ユーザが表示端末１の電源のオン・オフを指示するためのボタンである。メモリカードＩ／Ｆ５３は、カードスロットに挿入されたメモリカード８７に対するデータの読出・書込を行う。電源コントローラ５４は、表示端末１に内蔵されて電源を供給するバッテリ８２の充放電を制御したり、バッテリ８２の電池残量や電圧低下を検知したり、表示端末１に供給する電圧を制御したりする。なお、表示端末１は、図示外の外部電源から電力供給を受けていない場合には、バッテリ８２の電力で駆動される。温度センサＩ／Ｆ５５は、温度センサ８１によって検出される温度を取得する。温度センサ８１は、表示パネル２と同一面に配置されて、表示パネル２近傍の温度を検出する。
【００３９】
メモリカード８７は、表示パネル２に表示される画像データとして、第三者に閲覧されても問題がない画像データと、ユーザにとって重要な機密情報であって第三者による閲覧が制限されるべき画像データ（以下、機密データ）とが記憶されている。そのため、メモリカード８７には、第三者に閲覧されても問題がない画像データが記憶される記憶領域である画像データ記憶エリア１００と、機密データが記憶される記憶領域である機密データ記憶エリア１１０とが設けられている。本実施形態の表示端末１では、メモリカード８７に記憶されている画像データ（機密データを含む）のいずれかが、ユーザの入力操作に応じて表示パネル２に表示される。
【００４０】
ところで、本実施形態の表示端末１では、表示パネル２での画像形成の前段階で、表示コントローラ５１が表示部３０に対して交互に逆極性のパルス電圧を印加する。これにより、表示部３０の内部壁面に不所望に付着した帯電粒子の剥離を容易にして、表示パネル２での帯電粒子の電気泳動を促進している（いわゆる、リフレッシュ動作）。このリフレッシュ動作に際しては、温度センサ８１によって検出される温度に応じて、表示コントローラ５１が表示パネル２に印加する電気信号（波形）を変化させる。具体的には、帯電粒子は温度が高いほど移動しやすくなるため、温度センサ８１によって検出される温度に応じて電気信号（波形）を変化させることで帯電粒子の移動速度を一定にしている。
【００４１】
以下では、図６〜図１３を参照して、本実施形態の表示端末１にて実行される各種処理について説明する。
【００４２】
図６を参照して、表示端末１にて実行されるメイン処理について説明する。なお、図６に示すメイン処理は、ユーザによって電源ボタン８５がオンされると、ＲＯＭ９１に記憶されている制御プログラムに基づいて、ＣＰＵ９０によって実行される。図６に示すメイン処理では、まずバッテリ８２の電池残量が少ないと判断される基準となる電圧値である電圧閾値を設定する電圧閾値設定処理が起動される（Ｓ１）。
【００４３】
図７を参照して、Ｓ１で起動される電圧閾値設定処理について説明する。図７に示す電圧閾値設定処理では、まずメモリカード８７に記憶されている画像データの容量を取得するデータ容量取得処理が実行される（Ｓ２１）。
【００４４】
図８を参照して、Ｓ２１で実行されるデータ容量取得処理について説明する。図８に示すデータ容量取得処理では、まずメモリカードＩ／Ｆ５３を介してメモリカード８７へのアクセスが実行される（Ｓ３１）。そして、アクセス先のメモリカード８７のデータ容量が計算される（Ｓ３３）。Ｓ３３で計算されたデータ容量に基づいて、メモリカード８７の全データ容量（つまり、画像データ記憶エリア１００および機密データ記憶エリア１１０を含めたデータ容量）が、ＲＡＭ９２に記録される（Ｓ３５）。さらに、メモリカード８７の機密データ容量（つまり、機密データ記憶エリア１１０のみのデータ容量）が、ＲＡＭ９２に記録される（Ｓ３７）。その後、電圧閾値設定処理（図７）に戻る。
【００４５】
図７に戻り、データ容量取得処理（Ｓ２１）が実行されたのち、ＥＥＰＲＯＭ９３に記憶されている閾値設定条件が「全データ」であるか否かが判断される（Ｓ２３）。閾値設定条件は、データ保護の対象がメモリカード８７に記憶されている全ての画像データであるか、または、機密データのみであるかを示す情報である。閾値設定条件は、あらかじめユーザによって任意に「全データ」または「機密データ」に設定されていればよい。また、閾値設定条件は、ユーザによる設定がない場合にデフォルトで「全データ」または「機密データ」が設定されてもよい。
【００４６】
閾値設定条件が「全データ」であると判断された場合（Ｓ２３：ＹＥＳ）、「全データ」のデータ容量に対応する電圧閾値が、ＥＥＰＲＯＭ９３の電圧閾値記憶エリア９９に設定される（Ｓ２５）。すなわち、Ｓ３５にて記録された全データ容量に対応する電圧閾値が、ＲＯＭ９１の閾値設定テーブル記憶エリア９８に記憶されている閾値設定テーブル３０１（図１０参照）に基づいて設定される。一方、閾値設定条件が「機密データ」であると判断された場合（Ｓ２３：ＮＯ）、「機密データ」のデータ容量に対応する電圧閾値が電圧閾値記憶エリア９９に設定される（Ｓ２７）。すなわち、Ｓ３７にて記録された機密データ容量に対応する電圧閾値が、Ｓ２５と同様に閾値設定テーブル３０１（図１０参照）に基づいて設定される。Ｓ２５またはＳ２７が実行されたのち、電圧閾値設定処理（図７）が終了する。
【００４７】
ここで、図９および図１０を参照して、バッテリ８２の電圧低下特性と閾値設定テーブル３０１との関係について説明する。なお、図９の電圧低下特性を示すグラフは、横軸に放電時間（言い換えると、放電容量）を示し、縦軸にセル電圧を示す。そして、放電温度が一定（２０℃）の条件下で、表示端末１を電源オンかつ非操作状態とした場合（つまり、定電流放電を行った場合）におけるバッテリ８２の電圧低下特性を示している。
【００４８】
図９に示すように、本実施形態の表示端末１に内蔵されるバッテリ８２は、２０℃の環境下で満充電するとセル電圧４Ｖとなるリチウムイオン電池である。そして、表示端末１の電源オンかつ非操作状態という条件のもとで、バッテリ８２のセル電圧は時間経過に伴って漸減し、およそ２週間でセル電圧３．６Ｖとなる。さらに、バッテリ８２は２週間を超えて時間経過すると、単位時間当たりのセル電圧の減少幅が大きくなる。つまり、バッテリ８２は、セル電圧が３．６Ｖよりも小さくなると、セル電圧の減少速度が大きくなる電圧低下特性を有している。そして、本実施形態の表示端末１では、バッテリ８２のセル電圧が３．５Ｖに至ると、各種動作に最低限必要な電池残量がないために電源が自動的にオフされる。なお、電圧閾値記憶エリア９９には、デフォルトの電圧閾値として「３．５Ｖ」が設定されているものとする。
【００４９】
一方、図１０に示す閾値設定テーブル３０１には、保護対象となる画像データ（以下、保護対象データ）のデータ容量に、電圧閾値が対応付けて記憶されている。閾値設定テーブル３０１における「データ容量」は、メガバイト（Ｍｂｙｔｅ）単位とし、小数点以下は四捨五入されるものとする。先述のＳ２５およびＳ２７では、閾値設定テーブル３０１を参照して、保護対象データのデータ容量に応じた電圧閾値が電圧閾値記憶エリア９９に設定される。具体的には、先述のＳ２５では、「全データ」のデータ容量が「１〜９９」であれば、電圧閾値が「３．６Ｖ」に変更される。「全データ」のデータ容量が「１００〜９９９」であれば、電圧閾値が「３．７Ｖ」に変更される。「全データ」のデータ容量が「１０００以上」であれば、電圧閾値が「３．８Ｖ」に変更される。また、先述のＳ２７でも同様に、「機密データ」のデータ容量に応じた電圧閾値が変更される。なお、保護対象データのデータ容量が「１未満」である場合には、電圧閾値がデフォルトの「３．５Ｖ」に維持される。
【００５０】
このように、閾値設定テーブル３０１（図１０）では、表示端末１に最低限必要な電池残量を示すセル電圧３．５Ｖ以上の電圧閾値が設定される。さらに、保護対象データのデータ容量が大きいほど、電圧閾値が高く設定される。これは、保護対象データのデータ容量が大きくなっても、後述するデータ保護処理（Ｓ１１）を行うのに最低限必要な電池残量が確保されるようにするためである。
【００５１】
図６に戻り、電圧閾値設定処理が起動されたのち（Ｓ１）、表示パネル２に表示されている画面の切り替え指示があったか否かが判断される（Ｓ３）。すなわち、ユーザが操作キー９５を操作して画面の切り替え指示を行った場合（Ｓ３：ＹＥＳ）、表示パネル２に表示される画面の切り替えが行われた時点からの経過時間を計測する時間計測処理がリセットされる（Ｓ５）。
【００５２】
ここで、図１１を参照して、時間計測処理について説明する。なお、図１１に示す時間計測処理は、Ｓ５が実行されたことを契機として開始され、表示端末１が電源オフにされてもバッテリ８２からの電源供給を受けて内部的に実行される。つまり、時間計測処理は、表示パネル２に表示される画面の切り替えが行われると、その後に表示端末１が電源オフにされたとしても継続して実行される。
【００５３】
図１１に示す時間計測処理では、まずＲＴＣ９４に基づくタイマがリセットされ、ＥＥＰＲＯＭ９３に記憶されている時間経過フラグが「ＦＡＬＳＥ」に設定される（Ｓ４１）。時間経過フラグは、表示パネル２に表示される画面の切り替えが行われた時点からの経過時間が、一定時間（本実施形態では２時間とする。）を経過したか否かを示す。そして、ＲＴＣ９４に基づくタイマの計時が開始され（Ｓ４３）、このタイマによって計時された経過時間が一定時間を経過したか否かが判断される（Ｓ４５）。
【００５４】
タイマによって計時された経過時間が一定時間を経過した場合（Ｓ４５：ＹＥＳ）、先述の時間経過フラグが「ＴＲＵＥ」に設定される（Ｓ４７）。そして、表示パネル２に表示されている画面が機密データであるか否かが判断される（Ｓ４９）。表示パネル２に機密データが表示されている場合（Ｓ４９：ＹＥＳ）、表示パネル２に所定の警告が表示される（Ｓ５１）。本実施形態の表示端末１では、機密データが長時間にわたって表示され、かつ、電池残量が少なくなると、後述するように機密データの削除等が実行される。そこで、Ｓ５１では、図１２に例示する警告画像４００のように、機密データが長時間にわたって表示されているため、電池残量が少なくなると機密データが消去される旨が表示パネル２に表示される。これにより、ユーザに何らの注意喚起もなく機密データが自動的に削除される不具合が防止される。  
【００５５】
Ｓ５１が実行されたのち、または、表示パネル２に機密データが表示されていない場合（Ｓ４９：ＮＯ）、時間計測処理（図１１）が終了する。一方、タイマによって計時された経過時間が一定時間を経過していない場合（Ｓ４５：ＮＯ）、Ｓ４５にて待ち状態となる。また、タイマによって計時された経過時間が一定時間を経過する前に、表示パネル２に表示される画面の切り替えが行われた場合、Ｓ５によって時間計測処理（図１１）が最初からリスタートされる。
【００５６】
なお、時間計測処理（図１１）は、表示端末１が電源オフ中に実行されている場合、Ｓ５１にて表示パネル２に警告表示するのに必要な電源供給がない。そのため、表示端末１が電源オフ中に時間経過フラグが「ＴＲＵＥ」に設定されたときは（Ｓ４７）、Ｓ４９およびＳ５１は表示端末１が電源オンにされたのちに実行されることが好適である。
【００５７】
図６に戻り、時間計測処理のリセット（Ｓ５）が実行されたのち、Ｓ３に戻る。そして、画面の切り替え指示がない場合（Ｓ３：ＮＯ）、バッテリ８２の現在の電圧が電圧閾値記憶エリア９９に設定されている電圧閾値よりも小さいか否かが判断される（Ｓ７）。電源コントローラ５４は、バッテリ８２から検出される電圧値が電圧閾値記憶エリア９９の電圧閾値よりも小さいときは、所定の割り込み信号をＣＰＵ９０に発する。所定の割り込み信号が検出された場合（Ｓ７：ＹＥＳ）、バッテリ８２の電池残量が少ないことになるから、先述の時間経過フラグが「ＴＲＵＥ」であるか否かが判断される（Ｓ９）。時間経過フラグが「ＴＲＵＥ」である場合（Ｓ９：ＹＥＳ）、表示パネル２に表示される画面が切り替えられてから長時間が経過していることになるから、メモリカード８７に記憶されている機密データを第三者が閲覧できないようにするデータ保護処理が実行される（Ｓ１１）。
【００５８】
図１３を参照して、Ｓ１１で実行されるデータ保護処理について説明する。図１３のデータ保護処理では、まず表示パネル２に表示される画面が消去される（Ｓ６１）。具体的には、表示コントローラ５１による電気信号（波形）の印加によって、表示パネル２の表示面を黒または白とすることが例示される。なお、Ｓ６１では、表示パネル２の表示面に、機密データとは関係がない所定の画面を表示するようにしてもよい。
【００５９】
そして、ＥＥＰＲＯＭ９３の閾値設定条件が「全データ」であるか否かが判断される（Ｓ６３）。閾値設定条件が「全データ」である場合（Ｓ６３：ＹＥＳ）、メモリカード８７に記憶されている全ての画像データ（つまり、画像データ記憶エリア１００に記憶されている画像データ、および、機密データ記憶エリア１１０に記憶されている機密データ）が削除される（Ｓ６５）。なお、Ｓ６５では、全画像データの削除に代えて、メモリカード８７を初期化（フォーマット）してもよい。一方、閾値設定条件が「機密データ」である場合（Ｓ６３：ＮＯ）、メモリカード８７に記憶されている機密データのみ（つまり、機密データ記憶エリア１１０に記憶されている機密データ）が削除される（Ｓ６７）。
【００６０】
これにより、表示端末１では、表示パネル２に機密データが表示されていたとしても、第三者が閲覧できないように表示面から消去される。また、メモリカード８７に記憶されている機密データ自体も削除されるため、第三者が表示端末１を操作して機密データを表示させることもできなくなる。なお、Ｓ６５またはＳ６７が実行されたのち、メイン処理（図６）に戻る。
【００６１】
図６に戻り、データ保護処理（Ｓ１１）が実行されたのち、メイン処理が終了する。また、所定の割り込み信号が検出されない場合（Ｓ７：ＮＯ）、または、時間経過フラグが「ＦＡＬＳＥ」である場合（Ｓ９：ＮＯ）、いずれもデータ保護処理（Ｓ１１）を実行する条件が満たされないため、Ｓ３に戻る。なお、表示端末１がオフ状態とされたときも、メイン処理が終了する。
【００６２】
ところで、本実施形態では、先述したように時間計測処理（図１１）が表示端末１が電源オフ中でも実行されるため、表示端末１の電源オフ中に時間経過フラグが「ＴＲＵＥ」に設定されることがある。この場合に、表示端末１が電源オンにされてメイン処理（図６）が実行されると、バッテリ８２の電池残量が少なければ上記と同様にデータ保護処理（Ｓ１１）が実行される（つまり、表示端末１が電源オンされた直後に、画面消去およびデータ削除が実行される）。これにより、表示端末１が電源オフの状態で長期間放置されたとしても、表示端末１に記憶されている機密データが適切に保護される。
【００６３】
第１の実施形態に係る表示端末１によれば、バッテリ８２から検出される電圧値が電圧閾値よりも小さいと判断され、且つ、表示パネル２の表示画面が切り換えられてから所定時間以上を経過したと判断された場合に、メモリカード８７に記憶されている画像データの削除が行われる。したがって、ユーザによって利用されているにも関わらずデータ削除が行われる不具合の発生を抑制しつつ、第三者への機密情報の漏洩を適切に防止することができる。さらに、メモリカード８７の記憶容量に応じて電圧閾値を変更することで、画像データの削除に最低限必要な電池残量を確保することができる。
【００６４】
また、ＥＥＰＲＯＭ９３に記憶されている閾値設定条件が「機密データ」に設定されている場合は、機密データ記憶エリア１１０のデータ容量に応じて電圧閾値が変更され、機密データ記憶エリア１１０に記憶されている機密データが削除される。したがって、メモリカード８７に記憶されている画像データのうちで機密データのみを処理対象とすることで、データ削除の迅速化を図ることができるとともに、そのデータ削除に最低限必要な電池残量を低減することができる。さらに、保護対象となる画像データを、ユーザの任意で全データまたは機密データに可変とすることができる。
【００６５】
＜第２の実施形態＞
図１４〜図１６を参照して、本発明の第２の実施形態に係る表示端末１について説明する。なお、第２の実施形態に係る表示端末１は、基本的に第１の実施形態に示すものと同様であるが、電圧閾値の設定手法が異なる。以下では、第１の実施形態と同一構成については同一符号を付し、第１の実施形態と異なる点のみを説明する。
【００６６】
図１４を参照して、第２の実施形態において、メイン処理（図６参照）のＳ１で起動される電圧閾値設定処理について説明する。図１４に示す電圧閾値設定処理では、まず温度センサ８１に基づいて現在の温度を計測する温度計測処理が起動される（Ｓ１０１）。
【００６７】
図１５を参照して、Ｓ１０１で起動される温度計測処理について説明する。図１５の温度計測処理では、まずＡＤコンバータによるＡＤ変換に基づいて温度の計測が行われる（Ｓ１１１）。すなわち、温度センサ８１は温度を電圧に変換して温度センサＩ／Ｆ５５に出力するため、図示外のＡＤコンバータで温度センサ８１から出力される電圧を数値化し、その数値によって温度が取得される。
【００６８】
次に、Ｓ１１１が表示端末１の起動後の初回温度計測であるか否かが判断される（Ｓ１１３）。言い換えると、今回の温度計測（Ｓ１１１）が、表示端末１が電源オンされたのちに最初に行われたものであるか否かが判断される。Ｓ１１１が初回温度計測でない場合（Ｓ１１３：ＮＯ）、表示端末１が起動されたのちにおいて、今回の温度計測（Ｓ１１１）よりも前に温度計測（Ｓ１１１）が実行されていることになる。そこで、今回の温度計測（Ｓ１１１）に基づく温度レベルが、前回の温度計測（Ｓ１１１）に基づく温度レベルと異なるか否かが判断される（Ｓ１１５）。温度レベルは、温度計測（Ｓ１１１）によって取得された温度が含まれる温度幅をいい、５℃単位（例えば、０〜５℃、６〜１０℃、１１〜１５℃・・・）や１０℃単位（例えば、０〜１０℃、１１〜２０℃・・・）などでレベル分けされる。
【００６９】
今回計測の温度レベルが前回計測の温度レベルと異なる場合（Ｓ１１５：ＹＥＳ）、Ｓ１１１にて計測された温度（つまり、現在の温度）が、ＲＡＭ９２に展開されている制御プログラムのグローバル変数に記録される（Ｓ１１７）。そして、ＥＥＰＲＯＭ９３に記憶されている温度レベル変更通知が「ＴＲＵＥ」に設定される（Ｓ１１９）。温度レベル変更通知は、温度センサ８１によって検出される現在の温度が所定幅を超えて変化したか否かを示す。
【００７０】
一方、Ｓ１１１が初回温度計測である場合（Ｓ１１３：ＮＯ）、前回の電源オフされる前に最後に計測された温度と比較して、現在の温度が大きく変化している可能性がある。そのため、上記と同様に、現在の温度がグローバル変数に記録され（Ｓ１１７）、温度レベル変更通知が「ＴＲＵＥ」に設定される（Ｓ１１９）。Ｓ１１９が実行されたのち、または、今回計測の温度レベルが前回計測の温度レベルと同じである場合（Ｓ１１５：ＮＯ）、Ｓ１１１に戻る。そして、温度計測処理（図１５）は、表示端末１が電源オンされている間は繰り返し実行される。
【００７１】
図１４に戻り、温度計測処理が起動されたのち（Ｓ１０１）、先述の温度レベル変更通知が「ＴＲＵＥ」であるか否かが判断される（Ｓ１０３）。温度レベル変更通知が「ＴＲＵＥ」である場合（Ｓ１０３：ＹＥＳ）、ＲＡＭ９２から温度のグローバル変数が読み出されて、現在の温度が取得される（Ｓ１０５）。そして、閾値設定テーブル記憶エリア９８に記憶される閾値設定テーブル３０２（図１６参照）に基づいて、現在の温度に対応する電圧閾値が電圧閾値記憶エリア９９に設定される（Ｓ１０７）。
【００７２】
図１６に示す閾値設定テーブル３０２には、温度と電圧閾値とが対応付けて記憶されている。閾値設定テーブル３０２における「温度」は、摂氏（℃）単位とし、小数点以下は四捨五入されるものとする。先述のＳ１０７では、閾値設定テーブル３０２を参照して現在の温度に応じた電圧閾値が設定される。具体的には、現在の温度が「１〜２５」であれば、電圧閾値が「３．６Ｖ」に変更される。現在の温度が「−１９〜０」であれば、電圧閾値が「３．７Ｖ」に変更される。現在の温度が「−２０以下」であれば、電圧閾値が「３．８Ｖ」に変更される。なお、現在の温度が「２６以上」である場合には、電圧閾値がデフォルトの「３．５Ｖ」に維持される。
【００７３】
このように、閾値設定テーブル３０２（図１６）では、表示端末１に最低限必要な電池残量を示すセル電圧３．５Ｖ以上の電圧閾値が設定される。さらに、現在の温度が低いほど、電圧閾値が高く設定される。これは、放電中のリチウムイオンの移動が低温では動きにくくなる（つまり、セルの内部抵抗が上昇する）ためにセル電圧の低下が早くなるというリチウムイオン電池（バッテリ８２）の電圧低下特性に基づく。これにより、現在の温度が低くなっても、先述のデータ保護処理（Ｓ１１）を行うのに最低限必要な電池残量が確保される。
【００７４】
図１４に戻り、現在の温度に対応する電圧閾値が設定されたのち（Ｓ１０７）、先述の温度レベル変更通知に「ＦＡＬＳＥ」が設定されて（Ｓ１０９）、Ｓ１０３に戻る。そして、電圧閾値設定処理（図１４）は、表示端末１が電源オンされている間は繰り返し実行される。そのため、第２の実施形態に係る表示端末１では、電源がオフからオンに切り換えられる毎に、または、前回計測から温度が大きく変化する毎に、現在の温度に応じた好適な電圧閾値に変更される。
【００７５】
第２の実施形態に係る表示端末１によれば、バッテリ８２から検出される電圧値が電圧閾値よりも小さいと判断され、且つ、表示パネル２の表示画面が切り換えられてから所定時間以上を経過したと判断された場合に、メモリカード８７に記憶されている画像データの削除が行われる。したがって、ユーザによって利用されているにも関わらずデータ削除が行われる不具合の発生を抑制しつつ、第三者への機密情報の漏洩を適切に防止することができる。さらに、温度センサ８１によって検知される現在の温度に応じて電圧閾値を変更することで、画像データの削除に最低限必要な電池残量を確保することができる。
【００７６】
＜第３の実施形態＞
図１７および図１８を参照して、本発明の第３の実施形態に係る表示端末１について説明する。なお、第３の実施形態に係る表示端末１は、基本的に第１の実施形態に示すものと同様であるが、電圧閾値の設定手法が異なる。以下では、第１の実施形態と同一構成については同一符号を付し、第１の実施形態と異なる点のみを説明する。
【００７７】
図１７を参照して、第３の実施形態において、メイン処理（図６参照）のＳ１で起動される電圧閾値設定処理について説明する。図１７に示す電圧閾値設定処理では、まず電源コントローラ５４を介してユーザの充電操作ありか否かが判断される（Ｓ２０１）。具体的には、表示端末１に図示外の充電コネクタが接続された場合、電源コントローラ５４にてバッテリ８２への充電が開始されたことが検出される。バッテリ８２への充電が開始されるとユーザの充電操作ありと判断され（Ｓ２０１：ＹＥＳ）、ＥＥＰＲＯＭ９３に記憶されている充電回数が１カウントアップされる（Ｓ２０３）。その後、ＥＥＰＲＯＭ９３に記憶されている現在の充電回数が読み出される（Ｓ２０５）。そして、閾値設定テーブル記憶エリア９８に記憶される閾値設定テーブル３０３（図１８参照）に基づいて、現在の充電回数に対応する電圧閾値が電圧閾値記憶エリア９９に設定される（Ｓ２０７）。
【００７８】
図１８に示す閾値設定テーブル３０３には、充電回数と電圧閾値とが対応付けて記憶されている。先述のＳ２０７では、閾値設定テーブル３０３を参照して現在の充電回数に応じた電圧閾値が設定される。具体的には、現在の充電回数が「５０〜４９９」であれば、電圧閾値が「３．６Ｖ」に変更される。現在の充電回数が「５００〜９９９」であれば、電圧閾値が「３．７Ｖ」に変更される。現在の充電回数が「１０００以上」であれば、電圧閾値が「３．８Ｖ」に変更される。なお、現在の充電回数が「５０未満」である場合には、電圧閾値がデフォルトの「３．５Ｖ」に維持される。
【００７９】
このように、閾値設定テーブル３０３（図１８）では、表示端末１に最低限必要な電池残量を示すセル電圧３．５Ｖ以上の電圧閾値が設定される。さらに、現在の充電回数が大きいほど、電圧閾値が高く設定される。これは、充電回数が大きいほど電圧降下曲線の傾きが大きくなるというリチウムイオン電池（バッテリ８２）の電圧低下特性に基づく。これにより、現在の充電回数が大きくなっても、先述のデータ保護処理（Ｓ１１）を行うのに最低限必要な電池残量が確保される。
【００８０】
図１７に戻り、現在の充電回数に対応する電圧閾値が設定されたのち（Ｓ２０７）、または、ユーザの充電操作がない場合（Ｓ２０１：ＮＯ）、Ｓ２０１に戻る。そして、電圧閾値設定処理（図１７）は、表示端末１が電源オンされている間は繰り返し実行される。そのため、第３の実施形態に係る表示端末１では、現在の充電回数が増加するのに応じて、その充電回数に応じた好適な電圧閾値に変更される。
【００８１】
第３の実施形態に係る表示端末１によれば、バッテリ８２から検出される電圧値が電圧閾値よりも小さいと判断され、且つ、表示パネル２の表示画面が切り換えられてから所定時間以上を経過したと判断された場合に、メモリカード８７に記憶されている画像データの削除が行われる。したがって、ユーザによって利用されているにも関わらずデータ削除が行われる不具合の発生を抑制しつつ、第三者への機密情報の漏洩を適切に防止することができる。さらに、バッテリ８２の充電回数に応じて電圧閾値を変更することで、画像データの削除に最低限必要な電池残量を確保することができる。
【００８２】
＜第４の実施形態＞
図１９および図２０を参照して、本発明の第４の実施形態に係る表示端末１について説明する。なお、第４の実施形態に係る表示端末１は、基本的に第１の実施形態に示すものと同様であるが、電圧閾値の設定手法が異なる。以下では、第１の実施形態と同一構成については同一符号を付し、第１の実施形態と異なる点のみを説明する。
【００８３】
図１９を参照して、第４の実施形態において、メイン処理（図６参照）のＳ１で起動される電圧閾値設定処理について説明する。図１９に示す電圧閾値設定処理では、まずＥＥＰＲＯＭ９３に記憶されているデータ保護設定が「データ削除」であるか否かが判定される（Ｓ３０１）。データ保護設定は、先述のデータ保護処理（Ｓ１１）で実行される内容が、保護対象データの削除および暗号化のいずれであるかを示す情報である。データ保護設定は、あらかじめユーザによって任意に「データ削除」または「データ暗号化」に設定されていればよい。また、データ保護設定は、ユーザによる設定がない場合に、デフォルトで「データ削除」または「データ暗号化」が設定されてもよい。
【００８４】
データ保護設定が「データ削除」である場合（Ｓ３０１：ＹＥＳ）、閾値設定テーブル記憶エリア９８に記憶される閾値設定テーブル３０４（図２０参照）に基づいて、「データ削除」に対応する電圧閾値が電圧閾値記憶エリア９９に設定される（Ｓ３０３）。一方、データ保護設定が「データ暗号化」である場合（Ｓ３０１：ＮＯ）、Ｓ３０３と同様に閾値設定テーブル３０４（図２０参照）に基づいて、「データ暗号化」に対応する電圧閾値が電圧閾値記憶エリア９９に設定される（Ｓ３０５）。Ｓ３０３またはＳ３０５が実行されたのち、電圧閾値設定処理（図１９）が終了する。
【００８５】
図２０に示す閾値設定テーブル３０４には、データ保護設定と電圧閾値とが対応付けて記憶されている。先述のＳ３０３およびＳ３０５では、閾値設定テーブル３０４を参照してデータ保護設定に応じた電圧閾値が設定される。具体的には、Ｓ３０３では電圧閾値が「データ削除」に対応する「３．６Ｖ」に変更される。Ｓ３０５では電圧閾値が「データ暗号化」に対応する「３．８Ｖ」に変更される。
【００８６】
なお、第４の実施形態に係る表示端末１では、メイン処理（図６参照）のデータ保護処理（Ｓ１１）において、ＥＥＰＲＯＭ９３のデータ保護設定に応じた処理が行われる。具体的には、データ保護設定が「データ削除」に設定されている場合、図１３に示すデータ保護処理が実行される。一方、データ保護設定が「データ暗号化」に設定されている場合、Ｓ６５では全データの削除に代えて全データの暗号化が行われ、Ｓ６７では機密データの削除に代えて機密データの暗号化が行われる。なお、Ｓ６５およびＳ６７で実行されるデータ暗号化は、公知の手法を用いればよい。
【００８７】
このように、閾値設定テーブル３０４（図２０）では、表示端末１に最低限必要な電池残量を示すセル電圧３．５Ｖ以上の電圧閾値が設定される。さらに、「データ暗号化」のほうが「データ削除」よりも一般に消費電力が大きいため、データ保護として「データ暗号化」が行われる場合には電圧閾値が高く設定される。これにより、先述のデータ保護処理（Ｓ１１）として消費電力が大きい処理が行われる場合でも、その処理に最低限必要な電池残量が確保される。
【００８８】
第４の実施形態に係る表示端末１によれば、バッテリ８２から検出される電圧値が電圧閾値よりも小さいと判断され、且つ、表示パネル２の表示画面が切り換えられてから所定時間以上を経過したと判断された場合に、メモリカード８７に記憶されている画像データの削除または暗号化が行われる。したがって、ユーザによって利用されているにも関わらずデータ削除またはデータ暗号化が行われる不具合の発生を抑制しつつ、第三者への機密情報の漏洩を適切に防止することができる。また、ＥＥＰＲＯＭ９３に記憶されているデータ保護設定に応じて電圧閾値を変更することで、画像データの削除または暗号化に最低限必要な電池残量を確保することができる。さらに、データ保護処理（Ｓ１１）に行われる処理を、ユーザの任意でデータ削除またはデータ暗号化に可変とすることができる。
【００８９】
ところで、上記実施形態において、表示端末１が本発明の「表示装置」に相当する。そして、表示パネル２が本発明の「表示手段」に相当する。メモリカード８７が本発明の「データ記憶手段」に相当する。表示コントローラ５１が本発明の「表示制御手段」に相当する。電源コントローラ５４が本発明の「電池残量検出手段」に相当する。Ｓ７を実行するＣＰＵ９０が、本発明の「電池残量判断手段」に相当する。Ｓ４１〜Ｓ４７を実行するＣＰＵ９０が、本発明の「時間計測手段」に相当する。Ｓ９を実行するＣＰＵ９０が、本発明の「経過時間判断手段」に相当する。Ｓ１１を実行するＣＰＵ９０が、本発明の「データ制限手段」に相当する。電圧閾値設定処理（図７、図１４、図１７、図１９）を実行するＣＰＵ９０が、本発明の「閾値変更手段」にそれぞれ相当する。Ｓ３５を実行するＣＰＵ９０が、本発明の「第１記憶容量特定手段」に相当する。Ｓ３７を実行するＣＰＵ９０が、本発明の「第２記憶容量特定手段」に相当する。Ｓ１０５を実行するＣＰＵ９０が、本発明の「温度検出手段」に相当する。Ｓ２０５を実行するＣＰＵ９０が、本発明の「充電回数検出手段」に相当する。ＲＯＭ９１に記憶されている制御プログラムが、本発明の「情報保護プログラム」に相当する。
【００９０】
なお、本発明は上記実施形態に限定されるものではなく、発明の要旨を変更しない範囲での変更が可能である。例えば、上述の第１〜第４の実施形態では、電圧閾値を設定するためのパラメータとして、データ容量、温度、充電回数、データ保護方法をそれぞれ使用した場合を例示した。しかしながら、電圧閾値を設定するためのパラメータとして、データ容量、温度、充電回数、データ保護方法の二以上を適宜組み合わせて使用してもよい。
【符号の説明】
【００９１】
１    表示端末
２    表示パネル
３    制御基板
５１    表示コントローラ
５４    電源コントローラ
８１    温度センサ
８２    バッテリ
８７    メモリカード
９０    ＣＰＵ
９１    ＲＯＭ
９２    ＲＡＭ
９３    ＥＥＰＲＯＭ
９４    ＲＴＣ
９５    操作キー
９８    閾値設定テーブル記憶エリア
９９    電圧閾値記憶エリア
１００    画像データ記憶エリア
１１０    機密データ記憶エリア
３０１    閾値設定テーブル
３０２    閾値設定テーブル
３０３    閾値設定テーブル
３０４    閾値設定テーブル
【図１】
2010182055.tif 000003
【図２】
2010182055.tif 000004
【図３】
2010182055.tif 000005
【図４】
2010182055.tif 000006
【図５】
2010182055.tif 000007
【図６】
2010182055.tif 000008
【図７】
2010182055.tif 000009
【図８】
2010182055.tif 000010
【図９】
2010182055.tif 000011
【図１０】
2010182055.tif 000012
【図１１】
2010182055.tif 000013
【図１２】
2010182055.tif 000014
【図１３】
2010182055.tif 000015
【図１４】
2010182055.tif 000016
【図１５】
2010182055.tif 000017
【図１６】
2010182055.tif 000018
【図１７】
2010182055.tif 000019
【図１８】
2010182055.tif 000020
【図１９】
2010182055.tif 000021
【図２０】
2010182055.tif 000022